(57)【要約】【課題】  通信インフラ装置において、サービスを停止させることなく、一時的に監視状態を強化するなどの柔軟性を有することができ、保守性を高めることができるようにする。【解決手段】  ログ情報を蓄積する外部メモリ１０４を接続するための外部メモリインターフェース２０５を備え、外部メモリ１０４が接続されているか否かを検出する外部メモリ検出部２０６と、内部に備えつけられる内部メモリ２０２とを備える通信インフラ装置用のボードにおいて、ログ情報を外部メモリ１０４に転送し蓄積するメモリデータ転送部２０７を備えており、ここで；内部メモリ２０２にログ情報が書き込まれている場合、外部メモリ検出部２０６は外部メモリ１０４が接続されているか否かを検出し、外部メモリ１０４が接続されている場合、メモリデータ転送部２０７はログ情報を外部メモリ１０４に転送する。【選択図】  図１
2006011719.tif 000002
【特許請求の範囲】
【請求項１】
ログ情報を蓄積する外部メモリを接続するためのインターフェースを備え、当該外部メモリが接続されているか否かを検出する外部メモリ検出部と、内部に備えつけられる内部メモリとを備える通信インフラ装置用のボードにおいて、
前記ログ情報を前記外部メモリに転送し蓄積するメモリデータ転送部を備えており、ここで；
前記内部メモリに前記ログ情報が書き込まれている場合、前記外部メモリ検出部は前記外部メモリが接続されているか否かを検出し、
前記外部メモリが接続されている場合、前記メモリデータ転送部は前記ログ情報を前記外部メモリに転送することを特徴とする通信インフラ装置用のボード。
【請求項２】
リモートシステムがさらに取り付けられることを特徴とする請求項１記載の通信インフラ装置用のボード。
【請求項３】
情報処理装置に接続されることを特徴とする請求項１又は２記載の通信インフラ装置用のボード。
【請求項４】
ログ情報を蓄積する外部メモリを接続するためのインターフェースを備え、当該外部メモリが接続されているか否かを検出する外部メモリ検出部を備える通信インフラ装置用のボードにおけるログ情報蓄積方法において、
前記内部メモリに前記ログ情報が書き込まれている場合、前記外部メモリ検出部は前記外部メモリが接続されているか否かを検出し、
前記外部メモリが接続されている場合、前記メモリデータ転送部は前記ログ情報を前記外部メモリに転送することを特徴とする通信インフラ装置用のボードにおけるログ情報蓄積方法。
【請求項５】
リモートシステムがさらに取り付けられることを特徴とする請求項４記載の通信インフラ装置用のボードにおけるログ情報蓄積方法。
【請求項６】
情報処理装置に接続されることを特徴とする請求項４又は５記載の通信インフラ装置用のボードにおけるログ情報蓄積方法。
【発明の詳細な説明】
【技術分野】
【０００１】
本発明は、通信インフラ装置用のボード及びそれにおけるログ情報蓄積方法に関し、特に、ログ情報の蓄積を外部メモリで行なう通信インフラ装置用のボード及びそれにおけるログ情報蓄積方法に関する。
【背景技術】
【０００２】
通信インフラ装置における従来技術には、下記にあげるものがあった。
【０００３】
特許文献１には、プログラム実行中に、実行履歴とその処理状態を、内部メモリ内のトレース情報格納領域に格納する。障害発生のイベント通知を受けると、内部メモリ内のトレース情報を外部記憶装置に出力する技術が開示されている。
【０００４】
特許文献２には、障害が発生した時点で、メモリ領域上にスタックされているログ情報を外部記憶装置に出力する技術が開示されている。
【０００５】
特許文献３には、本体装置とオプションボードから構成される情報処理装置において、障害が発生したときに、どちらの障害ログエリアに障害情報を格納するかを示すフラグを有する技術が開示されている。
【０００６】
特許文献４には、動作異常の検出時に、内部メモリに記憶されているログデータを読み出し、外部メモリに転送して記憶させる技術が開示されている。
【特許文献１】特開２００２−２１５４３１号公報
【特許文献２】特開平０２−１０１５５６号公報
【特許文献３】特開平０９−２５９０１３号公報
【特許文献４】特開平１１−１８６９７４号公報
【発明の開示】
【発明が解決しようとする課題】
【０００７】
しかしながら、上記の従来技術には下記のような課題がある。
【０００８】
まず、装置を構成するボードはコストを低減するため、必要想定容量のメモリを搭載しているため、一時的に想定する以上が必要な状況が発生した場合にも、内部メモリの容量を拡張できなかった。もしできたとしても、サービスをいったん停止させてからしか拡張できなかった。
【０００９】
また、ログ情報の収集は装置以外の機材を用いているため、装置以外の機材が用意できないときには、ログ情報の収集ができないということである。
【００１０】
そこで、本発明は、サービスを継続した状態で、外部メモリを自動的に認識し、ログ情報を外部メモリに蓄積できるようにした装置構成をとることで、装置の保守性を向上させることを目的とする。
【課題を解決するための手段】
【００１１】
本発明は、上記課題を解決するための手段として、ログ情報を蓄積する外部メモリを接続するためのインターフェースを備え、当該外部メモリが接続されているか否かを検出する外部メモリ検出部と、内部に備えつけられる内部メモリとを備える通信インフラ装置用のボードにおいて、前記ログ情報を前記外部メモリに転送し蓄積するメモリデータ転送部を備えており、ここで；前記内部メモリに前記ログ情報が書き込まれている場合、前記外部メモリ検出部は前記外部メモリが接続されているか否かを検出し、前記外部メモリが接続されている場合、前記メモリデータ転送部は前記ログ情報を前記外部メモリに転送することを特徴とする。
【００１２】
また、本発明は、リモートシステムがさらに取り付けられることを特徴とする。
【００１３】
また、本発明は、情報処理装置に接続されることを特徴とする。
【００１４】
また、本発明は、ログ情報を蓄積する外部メモリを接続するためのインターフェースを備え、当該外部メモリが接続されているか否かを検出する外部メモリ検出部を備える通信インフラ装置用のボードにおけるログ情報蓄積方法において、前記内部メモリに前記ログ情報が書き込まれている場合、前記外部メモリ検出部は前記外部メモリが接続されているか否かを検出し、前記外部メモリが接続されている場合、前記メモリデータ転送部は前記ログ情報を前記外部メモリに転送することを特徴とする。
【００１５】
また、本発明は、リモートシステムがさらに取り付けられることを特徴とする。
【００１６】
また、本発明は、情報処理装置に接続されることを特徴とする。
【発明の効果】
【００１７】
本発明によれば、外部メモリをログ情報蓄積拡張エリアとして使用しているので、サービスを停止させることなく、一時的に監視状態を強化するなどの柔軟性を有することができ、保守性を高めることができるようになる。
【００１８】
また、本発明によれば、外部メモリを接続するだけで、ボード内のログ情報の収集をしているので、装置及びリモートシステムの状況に関係なく、ログデータを収集でき、保守性を高めることができるようになる。
【発明を実施するための最良の形態】
【００１９】
以下、添付図面を参照して本発明を実施するための最良の実施の形態を説明する。
【００２０】
［第１の実施の形態］
［構成の説明］
図１は、本発明の第１の実施の形態の構成を示すブロック図である。
【００２１】
図１に示すように、本実施の形態は、シャーシ１０１と、ボード１０２と、外部メモリ１０４と、を備えている。外部メモリ１０４は、着脱自在である。
【００２２】
図２及び図３は、本発明の第１の実施の形態のボード１０２の構成を示すブロック図である。図２は、ログ情報が内部メモリ２０２に蓄積される状態で、図３は、ログ情報が外部メモリ１０４内のメモリ空間４０１に蓄積される状態を示す。
【００２３】
図２及び図３に示すように、ボード１０２は、内部メモリ２０２と、外部メモリインターフェース部２０５と、外部メモリ検出部２０６と、メモリデータ転送部２０７と、リモートシステムインターフェース部２０８と、ログ蓄積制御部２０９と、を備えている。
【００２４】
内部メモリ２０２は、ログ情報の蓄積を行なうものである。本実施の形態では、特に、外部メモリ１０４が接続されていないとき、ログ情報の蓄積を行なう。
【００２５】
外部メモリインターフェース部２０５は、外部メモリ１０４と接続するためのインターフェースを提供する。
【００２６】
外部メモリ検出部２０６は、外部メモリ１０４が接続されているか否かを検出する。
【００２７】
メモリデータ転送部２０７は、外部メモリ１０４が接続されている際に、内部メモリ２０２から外部メモリ１０４にログ情報の転送を行なう。
【００２８】
ログ蓄積制御部２０９は、ログ情報を、外部メモリ１０４に蓄積するか内部メモリ２０２を蓄積するかの判断を行う箇所であり、外部メモリ検出部２０６の外部メモリ１０４の検出結果によって行なう。
【００２９】
リモートシステムインターフェース部２０８は、図２及び図３では不図示のリモート装置からの命令を処理する。本実施の形態では、特に、ボード１０２に格納されるログ情報の読み出し命令を処理する。
【００３０】
［動作の説明］
図４は、本実施の形態の動作を示すフローチャートである。
【００３１】
図４に示すように、まず、内部メモリ１０２内にログ情報が書き込まれているか否かを検出する（ステップＳ１０１）。
【００３２】
内部メモリ１０２内にログ情報が書き込まれていれば（ステップＳ１０１／Ｙｅｓ）、外部メモリ検出部２０６は外部メモリ１０４が接続されているか否かを検出する（ステップＳ１０２）。
【００３３】
外部メモリ１０２が接続されていれば（ステップＳ１０２／Ｙｅｓ）、メモリデータ転送部２０７は、内部メモリ１０２内のログ情報を外部メモリ１０４に転送する（ステップＳ１０３）。
【００３４】
外部メモリ１０４の図示しない書き込み手段は、外部メモリ内のメモリ空間４０１にログ情報３を書き込む（ステップＳ１０４）。
【００３５】
以上説明したように、本実施の形態によれば、外部メモリをログ情報蓄積拡張エリアとして使用しているので、サービスを停止させることなく、一時的に監視状態を強化するなどの柔軟性を有することができ、保守性を高めることができるようになる。
【００３６】
また、本実施の形態によれば、外部メモリを接続するだけで、ボード内のログ情報の収集をしているので、装置及びリモートシステムの状況に関係なく、ログデータを収集でき、保守性を高めることができるようになる。
【００３７】
［第２の実施の形態］
図５は、本発明の第２の実施の形態の構成を示すブロック図である。
【００３８】
図５に示すように、本実施の形態では、リモートシステムインターフェース部２０８にリモートシステム１０５が接続されており、リモートシステム１０５から遠隔操作ができるようになっている。
【００３９】
以上説明したように、本実施の形態によれば、第１の実施の形態における効果の他に、リモートシステム１０５からの遠隔操作ができるようになったので、より利便性が向上した。
【００４０】
［第３の実施の形態］
図６は、本発明の第３の実施の形態の構成を示すブロック図である。
【００４１】
図６に示すように、本実施の形態では、外部メモリ１０４に蓄積したログ情報をＰＣなどの情報処理装置に接続することで、情報処理装置を用いて外部メモリ１０４に書き込まれたログ情報を解析するようにしている。
【００４２】
以上説明したように、本実施の形態によれば、第１の実施の形態における効果の他に、ＰＣなどの情報処理装置で外部メモリ１０４に書き込まれたログ情報を解析できるので、装置の保守性をより高めることが可能となる。
【図面の簡単な説明】
【００４３】
【図１】本発明の第１の実施の形態の構成を示すブロック図である。
【図２】本発明の第１の実施の形態のボード１０２の構成を示すブロック図である。
【図３】本発明の第１の実施の形態のボード１０２の構成を示すブロック図である。
【図４】本発明の第１の実施の形態の動作を示すフローチャートである。
【図５】本発明の第２の実施の形態の構成を示すブロック図である。
【図６】本発明の第３の実施の形態の構成を示すブロック図である。
【符号の説明】
【００４４】
１０１  シャーシ
１０２  ボード
１０４  外部メモリ
１０５  リモートシステム
１０６  ＰＣなどの情報処理装置
２０２  ログ情報
２０５  外部メモリインターフェース部
２０６  外部メモリ検出部
２０７  メモリデータ転送部
２０８  リモートシステムインターフェース部
２０９  ログ蓄積制御部
【図１】
2006011719.tif 000003
【図２】
2006011719.tif 000004
【図３】
2006011719.tif 000005
【図４】
2006011719.tif 000006
【図５】
2006011719.tif 000007
【図６】
2006011719.tif 000008